(57)【特許請求の範囲】
【請求項１】
少なくとも冷媒と冷凍機油とを充填し、当該冷媒を圧縮する圧縮機として圧縮機構部がアルミニウム又はマグネシウム若しくはその合金製のスクロール圧縮機を備える冷凍回路において、
当該冷媒が、その一部又は全部として不飽和フッ化炭化水素冷媒を含有し、
当該冷凍機油が、ポリオキシアルキレン構造を有するエーテル系潤滑油と、炭素原子数が８〜２５である長鎖エポキシアルカンとを含有することを特徴とする冷凍回路。
【請求項２】
前記長鎖エポキシアルカンは、前記エーテル系潤滑油の充填量に対し、０．５重量％〜１５重量％充填されることを特徴とする請求項１に記載の冷凍回路。
【請求項３】
前記長鎖エポキシアルカンは、前記冷媒の充填量に対し、０．１重量％〜３重量％充填されることを特徴とする請求項１又は請求項２に記載の冷凍回路。
【請求項４】
前記不飽和フッ化炭化水素冷媒が、分子末端にＣＨ２＝ＣＨ−又はＣＨ２＝ＣＦ−の基を有する不飽和フッ化炭化水素冷媒である請求項１〜請求項３のいずれかに記載の冷凍回路。
【請求項５】
前記不飽和フッ化炭化水素冷媒が、ＨＦＯ１２３４ｙｆ及びＨＦＯ１２３４ｚｅの少なくとも１種である請求項１〜請求項３のいずれかに記載の冷凍回路。
【発明の詳細な説明】
【技術分野】
【０００１】
本発明は、冷媒の全部又は１部としてＨＦＯ１２３４ｙｆに代表される不飽和フッ化炭化水素冷媒を含む冷媒が使用される冷凍回路に関する。
【背景技術】
【０００２】
車両用空調装置などに用いられる冷凍回路には現状では代表的な冷媒としてフルオロカーボンの一種であるＨＦＣ１３４ａが使用されるとともに、代表的な冷凍機油としてポリアルキレングリコール（ＰＡＧ）が使用されている。
【０００３】
現在、世界規模で地球温暖化を防止する取り組みが盛んに進んでいる。特にＥＵ諸国においてはフロンガス規制において、自動車用の代表的な冷媒ＨＦＣ１３４ａの高い地球温暖化係数（ＧＷＰ１４３０）に対する規制を進め、２０１２年以降の新型車へのこの冷媒の使用の禁止を、また２０１７年以降には全ての車両へのこの冷媒の使用禁止を決定した。これを受け、世界各地域に同様の規制が波及している。この動向に対して冷媒メーカー、冷凍機油メーカー及び空調機器メーカーは、安全でありながら地球温暖化係数（ＧＷＰ）などのさらなる低減と改善を目指して、新冷媒及び新冷媒用冷凍機油の研究・開発が行われている。このような改善を目指した新冷媒として現在、低ＧＷＰ化を求めて分子内部に不飽和結合を導入し、蒸発温度が−５０℃から−１０℃の範囲にある不飽和フッ化炭化水素冷媒が次世代の冷媒として開発されている。特に、ＨＦＯ１２３４ｙｆやＨＦＯ１２３４ｚｅなどの不飽和フッ化炭化水素冷媒が世界的に採用される見込みが有力である。これらの物質を車両用空調装置などの冷凍回路へ適用できるよう改良を目指した試験研究が盛んになってきた。
【発明の概要】
【発明が解決しようとする課題】
【０００４】
ところが、不飽和フッ化炭化水素冷媒は低ＧＷＰ値を特長のひとつとする反面、分子内に不飽和結合を有するためＨＦＣ１３４ａをはじめとする従来の飽和フッ化炭化水素系冷媒と比較して反応性が高く熱・化学的安定性に乏しい。そこで、本発明者らは、不飽和フッ化炭化水素冷媒の代表例であるＨＦＯ１２３４ｙｆについて、この冷媒を実際の冷凍回路に使用した場合の熱・化学的安定性を確認する実験を行ったところ、圧縮機としてスクロール圧縮機を使用し、冷媒としてＨＦＯ１２３４ｙｆを使用し、且つ冷凍機油として代表的なポリアルキレングリコールを使用した実験系の冷凍回路では、特に高速高負荷条件下において、圧縮機内にワックス状の固形物が生成するのに対し、この実験系の冷凍回路においてスクロール圧縮機をレシプロ圧縮機に置換えた実験系の冷凍回路では、高速高負荷条件下においても、ワックス状の固形物は生成しないという事実を確認した。このワックス状の固形物は、冷凍回路の詰まりや冷凍性能の低下を引き起こすため、冷凍回路の著しい性能低下や故障などの致命的な欠陥になり得る。ワックス状の固形物の生成はＨＦＯ１２３４ｙｆに限られず分子内に同様の不飽和結合を有する他の不飽和フッ化炭化水素冷媒においても生成するものと考えられる。従って、冷凍回路において不飽和フッ化炭化水素冷媒を使用する場合、特に高速高負荷条件下においてもかかるワックス状の固形物が圧縮機内や冷凍回路内に生成するのを防止する必要がある。
【０００５】
従って、本発明が解決しようとする課題は、圧縮機としてスクロール圧縮機を使用し、冷媒として不飽和フッ化炭化水素冷媒を使用し、且つ冷凍機油としてポリアルキレングリコールなどのエーテル系潤滑油を使用する冷凍回路において、冷凍回路の詰まりや冷凍性能の低下の原因となるワックス状の固形物が冷凍回路内に生成するのを防止することにある。
【課題を解決するための手段】
【０００６】
本発明者らはワックス状の固形物の化学分析を行い、この固形物は融点が約５０℃〜７２℃の低分子量の重合パラフィンであることを確認した。本発明者らはこの分析結果に基づきワックス状の固形物の生成メカニズムを次のように推定している。すなわち、スクロール圧縮機では旋回スクロールの旋回運動に伴って旋回スクロールの渦巻体と固定スクロールの渦巻体とが高温高圧の冷媒ガスの作用に対抗するために相互に強く押圧された状態で摺動するため、使用する冷凍機油には高度の潤滑性能が要求されるところ、ＨＦＯ１２３４ｙｆなどの不飽和結合を有する冷媒に対するポリアルキレングリコールなどのエーテル系潤滑油の潤滑性能はスクロール圧縮機にとって必ずしも充分ではない。このため、高温高負荷条件下において、旋回スクロールの旋回運動に伴い圧縮機構部の摺動表面に局部的に金属活性表面が露出し易くなる。一方、不飽和フッ化炭化水素冷媒は反応性が高く熱・化学的安定性に乏しい。その結果、露出した金属活性表面が反応触媒として作用して、スクロール圧縮機の圧縮機構部内において高温高圧の冷媒ガス雰囲気下で不飽和フッ化炭化水素冷媒とエーテル系潤滑油のポリオキシアルキレン構造との反応を誘起し、その結果不飽和フッ化炭化水素冷媒の分解と分解物たる重合性オレフィンの生成が起こり、更にこの重合性オレフィンが圧縮機内部の圧力および熱のもとで金属活性表面の重合触媒作用を受けて重合して重合パラフィンを生成するものと推定される。また、不飽和フッ化炭化水素冷媒の分解により生成するフッ化水素は不飽和フッ化炭化水素冷媒の更なる分解を助長する触媒として作用するものと推定される。従って、ワックス状の固形物の生成を防止するためには、エーテル系潤滑油の潤滑性能の不足をポリオキシアルキレン構造を有しない他の潤滑油性成分の併用により補うことが有効な手段となり得る。また、不飽和フッ化炭化水素冷媒の分解により生成するフッ化水素を捕捉する酸捕捉剤を使用することも有効な手段となり得る。本発明者らはこの観点から各種化合物について検討し、長鎖脂肪族エポキシアルカンがワックス状の固形物の生成防止に非常に効果的である事実を見出した。本発明はかかる技術的知見と着想に基づいて完成されたものである。
【０００７】
すなわち、本発明の冷凍回路は、少なくとも冷媒と冷凍機油とを充填し、当該冷媒を圧縮する圧縮機として圧縮機構部がアルミニウム又はマグネシウム若しくはその合金製のスクロール圧縮機を備える冷凍回路において、当該冷媒がその一部又は全部として不飽和フッ化炭化水素冷媒を含有し、当該冷凍機油が、ポリオキシアルキレン構造を有するエーテル系潤滑油と、炭素原子数が８〜２５である長鎖脂肪族エポキシアルカンとを含有することを特徴としている。また、当該長鎖エポキシアルカンは、前記エーテル系潤滑油の充填量に対し、０．５重量％〜１５重量％充填されることが好ましい。さらに、長鎖エポキシアルカンは、前記冷媒の充填量に対し、０．１重量％〜３重量％充填されることが好ましい。この発明によれば、前記エポキシアルカンが、圧縮機の運転に伴い引き起される不飽和フッ化炭化水素冷媒の分解と重合性分解物の重合に起因する重合パラフィンの生成とを防止する重合パラフィン防止剤として機能する。
【０００８】
上記構成において熱・化学的安定性が特に低い分子末端にＣＨ２＝ＣＨ−又はＣＨ２＝ＣＦ−の基を有する不飽和フッ化炭化水素冷媒が用いられる場合にも、重合パラフィンの生成を効果的に防止できる。また、上記構成において不飽和フッ化炭化水素冷媒として代表的なＨＦＯ１２３４ｙｆ及びＨＦＯ１２３４ｚｅが用いられる場合にも、重合パラフィンの生成を効果的に防止できる。
【０００９】
本発明の冷凍回路は、家電、住宅空調、流通分野などに利用されるあらゆる冷凍回路に適用可能であり、特に車両空調装置用冷凍回路として好適である。車両空調装置用冷凍回路において本発明を適用することにより、ＨＦＯ１２３４ｙｆなどの不飽和フッ化炭化水素冷媒を使用して環境負荷を低減し且つ従来と同様の動作安定性を達成した冷凍回路を実現することが可能となる。
【発明の効果】
【００１０】
本発明によれば、圧縮機として圧縮機構部がアルミニウム又はマグネシウム若しくはその合金製のスクロール圧縮機を使用し、冷媒として不飽和フッ化炭化水素冷媒を充填し、且つ冷凍機油としてポリオキシアルキレン構造を有するエーテル系潤滑油を充填する冷凍回路において、エーテル系潤滑油の潤滑性能の不足を長鎖エポキシアルカンの併用により補うとともに、不飽和フッ化炭化水素冷媒の分解により生成し冷媒の更なる分解を助長するフッ化水素を長鎖エポキシアルカンのエポキシ基で捕捉することにより、圧縮機構部の摺動に伴う金属活性表面の露出を防止して、これにより圧縮機構部内において高温高圧の冷媒ガス雰囲気下で不飽和フッ化炭化水素冷媒とエーテル系潤滑油のポリオキシアルキレン構造とが露出した金属活性表面の触媒作用を受けて反応することを防止でき、その結果冷凍回路の詰まりや冷凍性能の低下の原因となる重合パラフィンの生成を防止することができる。
【図面の簡単な説明】
【００１１】
【図１】本発明が対象とする冷凍回路の基本的な機器配置例を示す概略構成図である。
【発明を実施するための形態】
【００１２】
図１は車両用空調装置などに用いられる冷凍回路の基本的な構成を示している。図１において、冷凍回路１は、冷媒を圧縮する圧縮機２と、圧縮した冷媒を凝縮する凝縮器３と、凝縮した冷媒を減圧・膨張させる減圧・膨張手段としての膨張弁４と、減圧・膨張した冷媒を蒸発させる蒸発器５とを備えている。この冷凍回路１中には、冷媒と所定の混合物とが充填され、当該冷凍回路１中を冷媒がその状態を変化させながら循環される。
【００１３】
本発明で使用するスクロール圧縮機には特に制限はない。圧縮機の構成材料として鉄系材料のほか、アルミニウム、マグネシウム又はその合金などの軽金属系材料が使用可能である。圧縮機構部において可動側のスクロールは慣性力を低減させるために鉄系材料よりも比重が小さなアルミニウム、マグネシウム又はその合金などの軽金属系材料が使用される場合が多い。これらの鉄系材料や軽金属系材料はいずれも純粋の金属素材の状態では高い反応性に富んでいるが、通常はその表面は酸化被膜で覆われて金属素材の活性が抑えられた状態にある。しかし、冷凍機油の潤滑性能が不充分であると、酸化被膜が旋回スクロールの旋回運動に伴う摩擦などにより失われて金属活性表面が露出する。金属活性表面が露出すると、その金属素材の高い反応性のために、この金属活性表面は極めて高い触媒作用を呈する。従って、高温高圧状態の冷媒雰囲気下でエーテル系潤滑油と不飽和フッ化炭化水素冷媒とがこの金属活性表面に接触すると、この金属活性表面の触媒作用を受けてエーテル系潤滑油のポリオキシアルキレン構造と不飽和フッ化炭化水素冷媒が反応する。この反応により不飽和フッ化炭化水素冷媒の分解と分解物たる重合性オレフィンの生成が起こり、更にこの重合性オレフィンが金属活性表面の重合触媒作用を受けて高温高圧の冷媒ガス雰囲気下で重合して重合パラフィンを生成することになる。しかしながら、本発明によれば、エーテル系潤滑油は長鎖エポキシアルカンを含有し、この長鎖エポキシアルカンは高温高圧の冷媒ガス雰囲気下でも不飽和フッ化炭化水素冷媒と反応することはないので、エーテル系潤滑油の潤滑性能の不足を補って金属活性表面の露出を防止する一方、不飽和フッ化炭化水素冷媒の分解により生成し冷媒の更なる分解を助長するフッ化水素と反応してこれを消失させ、これにより不飽和フッ化炭化水素冷媒の分解と分解物たる重合性オレフィンの生成を防止するとともに、重合性オレフィンの重合による重合パラフィンの生成を防止する。
【００１４】
本発明で使用される不飽和フッ化炭化水素冷媒としては、例えば１，２，３，３−テトラフルオロ−１−プロペン（ＨＦＯ１２３４ｙｅ）；１，３，３，３−テトラフルオロ−１−プロペン（ＨＦＯ１２３４ｚｅ）；２，３，３，３−テトラフルオロ−１−プロペン（ＨＦＯ１２３４ｙｆ）；１，１，２，３−テトラフルオロ−１−プロペン（ＨＦＯ１２３４ｙｃ）；１，１，３，３−テトラフルオロ−１−プロペン（ＨＦＯ１２３４ｚｃ）；２，３，３−トリフルオロ−１−プロペン（ＨＦＯ１２４３ｙｆ）；３，３，３−トリフルオロ−１−プロペン（ＨＦＯ１２４３ｚｆ）；１，１，２−トリフルオロ−１−プロペン（ＨＦＯ１２４３ｙｃ）；１，１，３−トリフルオロ−１−プロペン（ＨＦＯ１２４３ｚｃ）；１，２，３−トリフルオロ−１−プロペン（ＨＦＯ１２４３ｙｅ）；１，３，３−トリフルオロ−１−プロペン（ＨＦＯ１２４３ｚｅ）；３，３，３−トリフルオロプロペン（ＨＦＯ１２４３ｚｆ）などのハイドロフルオロプロペン：２，３，３，４，４，４−ヘキサフルオロ−１−ブテン（ＣＦ３ＣＦ２ＣＦ＝ＣＨ２）；３，３，３−トリフルオロ−２−（トリフルオロメチル）−１−プロペン（ＣＨ２＝Ｃ（ＣＦ３）２）；１，１，１，３，４−ペンタフルオロ−２−ブテン（ＣＦ３ＣＨ＝ＣＦＣＨ２Ｆ）；３，３，４，４，４−ペンタフルオロ−１−ブテン（ＣＦ３ＣＦ２ＣＨ＝ＣＨ２）；２，３，３，４，４−ペンタフルオロ−１−ブテン（ＣＨ２＝ＣＦＣＦ２ＣＨＦ２）；３，３，４，４−テトラフルオロ−１−ブテン（ＣＨ２＝ＣＨＣＦ２ＣＨＦ２）；３，３−ジフルオロ−２−（ジフルオロメチル）−１−プロペン（ＣＨ２＝Ｃ（ＣＨＦ２）２）；３，３，４，４，４−ペンタフルオロ−２−（トリフルオロメチル）−１−ブテン（ＣＨ２＝Ｃ（ＣＦ３）ＣＦ２ＣＦ３）；３，４，４，４−テトラフルオロ−３−（トリフルオロメチル）−１−ブテン（（ＣＦ３）２ＣＦＣＨ＝ＣＨ２）；２，４，４，４−テトラフルオロ−３−（トリフルオロメチル）−１−ブテン（ＣＨ２＝ＣＦＣＨ（ＣＦ３）２）；４，４，４−トリフルオロ−３−（トリフルオロメチル）−１−ブテン（ＣＨ２＝Ｃ（ＣＦ３）ＣＨ２ＣＦ３）などのハイドロフルオロブテン：３，３，４，４，５，５，５−ヘプタフルオロ−１−ペンテン（ＣＦ３ＣＦ２ＣＦ２ＣＨ＝ＣＨ２）；２，３，３，４，４，５，５−ヘプタフルオロ−１−ペンテン（ＣＨ２＝ＣＦＣＦ２ＣＦ２ＣＨＦ２）；３，３，４，５，５，５−ヘキサフルオロ−１−ペンテン（ＣＨ２＝ＣＨＣＦ２ＣＨＦＣＦ３）；４，５，５，５−テトラフルオロ−４−（トリフルオロメチル）−１−ペンテン（ＣＨ２＝ＣＨＣＨ２ＣＦ（ＣＦ３）２）などのハイドロフルオロペンテン： ３，３，４，４，５，５，６，６，６−ノナフルオロ−１−ヘキセン（ＣＦ３ＣＦ２ＣＦ２ＣＦ２ＣＨ＝ＣＨ２）；４，４，５，５，６，６，６−ヘプタフルオロ−１−ヘキセン（ＣＨ２＝ＣＨＣＨ２ＣＦ２ＣＦ２ＣＦ３）などのハイドロフルオロヘキセンが挙げられる。不飽和フッ化炭化水素冷媒の中でも特に分子末端にＣＨ２＝ＣＨ−又はＣＨ２＝ＣＦ−の基を有するものはポリオキシアルキレン構造を有するエーテル系潤滑油とスクロール圧縮機内で反応して重合パラフィンを生成さ��る程度が分子末端にこれらの基を有しないものよりも顕著である。従って、これらの基を有する不飽和フッ化炭化水素冷媒を使用する冷凍回路に対し本発明の適用は特に有効である。
【００１５】
上記化合物は単独又は２種以上の混合物として使用される。また、上記化合物とともには飽和ハロゲン化炭化水素冷媒又は炭化水素冷媒を併用することも可能である。代表的な飽和フッ化炭化水素冷媒ならびに炭化水素系冷媒としては、例えば１，１，１，２−テトラフルオロエタン（ＨＦＣ１３４ａ）、１，１−ジフルオロエタン（ＨＦＣ１５２ａ）、ジフルオロメタン（ＨＦＣ３２）、ペンタフルオロエタン（ＨＦＣ１２５）、１，１，１−トリフルオロエタン（ＨＦＣ１４３ａ）、１，１，１，２，３，３，３−ヘプタフルオロプロパン（ＨＦＣ２２７ｅａ）、１，１，１，３，３−ペンタフルオロブタン（ＨＦＣ３６５ｍｆｃ）、２，２，−ジクロロ−１，１，１−トリフルオロエタン（ＨＦＣ１２３）、１，１，１，３，３−ペンタフルオロプロパン（ＨＦＣ２４５ｆａ）、１，２−ジクロロ−１，１，２，２−テトラフルオロエタン（ＨＦＣ１２４）、１，１，１，３，３，３−ヘキサフルオロプロパン（ＨＦＣ２３６ｆａ）が挙げられる。代表的な炭化水素冷媒としては、例えばプロパン、プロピレン、シクロプロパン、ｎ−ブタン、イソブタン、ｎ−ペンタン、２−メチルブタン（イソペンタン）、シクロブタン、シクロペンタン、２，２−ジメチルプロパン、２，２−ジメチルブタン、２，３−ジメチルブタン、２，３−ジメチルペンタン、２−メチルヘキサン、３−メチルヘキサン、２−メチルペンタン、３−エチルペンタン、３−メチルペンタン、シクロヘキサン、ｎ−ヘプタン、メチルシクロペンタン、およびｎ−ヘキサンが挙げられる。
【００１６】
本発明で使用される長鎖エポキシアルカンとしては、例えば１，２−エポキシノナン、１，２−エポキシデカン、１，２−エポキシウンデカン、１，２−エポキシドデカン、１，２−エポキシテトラデカン、１，２−エポキシペンタデカン、１，２−エポキシヘキサデカン、１，２−エポキシヘプタデカン、１，２−エポキシオクタデカン、１，２−エポキシノナデカンなどの炭素原子数８〜２５のエポキシアルカンが好ましい。長鎖エポキシアルカンのエーテル系潤滑剤に対する添加量は０．５〜１５重量％が好ましく、封入冷媒量に対する添加量は０．１〜３重量％が好ましい。
【実施例】
【００１７】
本発明による重合パラフィンの生成防止効果は以下の実施例及び比較例により確認することができる。実施例及び比較例において図１に示される冷凍回路が用いられる。冷凍回路のスクロール圧縮機はアルミニウム合金製の固定スクロールとアルミニウム合金製にアルマイト処理された旋回スクロールとを備えている。冷凍回路内にＨＦＯ１２３４ｙｆ冷媒を所定量充填し、スクロール圧縮機内に表１に記載の処方の混合物を所定量充填する。実施例及び比較例のエーテル系潤滑油には極圧剤としてリン酸トリクレシルを潤滑油に対し１．０％添加する。スクロール圧縮機の回転数を６０００ｒｐｍに設定し、この回転速度で４００時間に亘って冷凍回路を連続運転する。運転終了後に圧縮機内及び冷凍回路の配管内を点検してワックス状の固形物（重合パラフィン）の生成の有無を確認する。この確認実験により表１に記載の結果が得られる。表１の効果の欄における判定基準は次の通りである。
○：目視で確認できる固形物は存在しない。
×：目視で確認できる固形物が存在する。
【００１８】
【表１】
0005519224.tif 000002
上表において、ＰＰＧはポリプロピレングリコールを主構造として分子末端をエーテル変性処理したポリアルキレングリコールを表し、％は封入冷媒量に対する重量％を表す。
【００１９】
表１に示すように、実施例１〜２のようにエーテル系潤滑油（ＰＰＧ）に重合パラフィン防止剤として長鎖エポキシアルカンを添加する場合には、回転数６０００ｒｐｍ、連続運転時間４００時間の高温高負荷条件下においても、重合パラフィンは発生しないのに対し、比較例にように長鎖エポキシアルカンを添加しない場合には、同条件下において、重合パラフィンが発生する。
【産業上の利用可能性】
【００２０】
本発明は家電、住宅空調、流通分野などに利用されるあらゆる冷凍回路に適用可能であり、特に車両空調装置用冷凍回路において、ＨＦＯ１２３４ｙｆなどの不飽和フッ化炭化水素冷媒を使用して環境負荷を低減し且つ従来と同様の動作安定性を達成した冷凍回路を実現することが可能である。
【符号の説明】
【００２１】
１ 冷凍回路
２ 圧縮機
３ 凝縮器
４ 減圧・膨張手段としての膨張弁
５ 蒸発器
【図１】
0005519224.tif 000003